(57)【要約】【課題】略Ｌ字型のプラグコネクタにおいて、プラグコネクタのシェルに対するケーブルの引き出し方向（角度）を自由に調整できる技術を提供する。【解決手段】複数の端子４０を内部に含み、複数の規制部１２を外周に有するシェル１０と、ケーブル３が挿通される空間を内部に有し、規制部１２の第１の群と嵌合する規制部２１を有するコード管Ａ２０と、ケーブル３が挿通される空間を内部に有し、規制部１２の第２の群と嵌合する規制部３１を有するコード管Ｂ３０と、を備え、規制部１２の第１の群と規制部２１とが嵌合することにより、コード管Ａ２０はシェル１０の軸方向（Ｚ）以外の方向への移動が規制され、規制部１２の第２の群と規制部３１とが嵌合することにより、コード管Ｂ３０はシェル１０の軸方向（Ｚ）への移動が規制され、かつコード管Ａ２０はシェル１０の軸方向（Ｚ）への移動が規制されるように構成されている。【選択図】図３
2018018664.tif 000002
【特許請求の範囲】
【請求項１】
相手側コネクタとの嵌合方向に対して略垂直方向にケーブルが引き出される電気コネクタであって、
複数の端子を内部に含み、複数の第１の規制部を外周に有するシェルと、
ケーブルが挿通される空間を内部に有し、前記複数の第１の規制部の第１の群と嵌合する第２の規制部を有する第１のコード管と、
ケーブルが挿通される空間を内部に有し、前記複数の第１の規制部の第２の群と嵌合する第３の規制部を有する第２のコード管と、を備え、
前記複数の第１の規制部の第１の群と前記第２の規制部とが嵌合することにより、前記第１のコード管は前記シェルの軸方向以外の方向への移動が規制され、
前記複数の第１の規制部の第２の群と前記第３の規制部とが嵌合することにより、前記第２のコード管は前記シェルの軸方向への移動が規制され、かつ前記第１のコード管は前記シェルの軸方向への移動が規制される、ように構成されている、電気コネクタ。
【請求項２】
前記第２のコード管は、前記シェルの軸方向の略垂直方向から前記第１のコード管と合体するように構成されている、請求項１に記載の電気コネクタ。
【請求項３】
前記複数の第１の規制部は、それぞれ、前記第２の規制部と接触して前記第１のコード管が周方向に回転移動するのを防止する第１の規制面と、前記第３の規制部と接触して前記第２のコード管が前記シェルの軸方向に抜けるのを防止する第２の規制面と、を有する、請求項１又は２に記載の電気コネクタ。
【請求項４】
前記複数の第１の規制部は、それぞれ凸形状を有し、
前記前記第２の規制部及び前記第３の規制部は、それぞれ凹形状を有する、請求項１〜３のいずれか１項に記載の電気コネクタ。
【請求項５】
前記複数の第１の規制部は、それぞれ凹形状を有し、
前記前記第２の規制部及び前記第３の規制部は、それぞれ凸形状を有する、請求項１〜３のいずれか１項に記載の電気コネクタ。
【請求項６】
前記複数の第１の規制部は、それぞれ等間隔で配置されている、請求項１〜５のいずれか１項に記載の電気コネクタ。
【請求項７】
前記複数の第１の規制部は、それぞれ同一形状及び同一寸法を有する、請求項１〜６のいずれか１項に記載の電気コネクタ。
【発明の詳細な説明】
【技術分野】
【０００１】
本発明は、電気コネクタに関し、特に、複数の端子を有し、相手側コネクタとの嵌合方向に対して略垂直方向にケーブルが引き出される略Ｌ字型の電気コネクタに関する。
【背景技術】
【０００２】
複数の端子を有する略Ｌ字型の電気コネクタとして、例えば、特許文献１（特開２０１６−５８１５０号公報）に記載されたコネクタが知られている。このコネクタは、プラグコネクタであって、複数のコンタクトを収容したプラグのバレルと、ケーブルの端部に取り付けられるエンドベルと、バレルとエンドベルとを結合するアセンブリナットとを備えている。そして、バレルは、例えば、モータの筐体やパネルなどに取り付けられたレセプタクルコネクタに嵌合するように構成されている。
【先行技術文献】
【特許文献】
【０００３】
【特許文献１】特開２０１６−５８１５０号公報
【発明の概要】
【発明が解決しようとする課題】
【０００４】
一般に、特許文献１に記載されるようなプラグコネクタと嵌合されるレセプタクルコネクタは、パネル等に取り付けられる際、そのパネルなどに対して所定の位置（角度）で取り付けられる。また、これらのコネクタは複数の端子を有するため、その複数の端子同士の位置関係は固定されており、そのため、プラグコネクタのバレル（プラグシェル）は、レセプタクルコネクタに対して所定の角度（嵌合可能な角度）で嵌合することになる。すなわち、プラグシェルは、レセプタクルコネクタに対して、ある決まった位置でないと嵌合できない。したがって、略Ｌ字型のプラグコネクタのケーブルの引き出し方向は、プラグシェルに対して固定であるため、レセプタクルコネクタ及びパネルに対しても一定の方向となる。
【０００５】
しかしながら、ケーブルの引き回し、コネクタの設置条件等により、略Ｌ字型のプラグコネクタのケーブルの引き出し方向を自由に変更したい場合がある。そこで、レセプタクルコネクタ及びプラグコネクタのシェルに対して、ケーブルの引き出し方向（角度）を自由に調整できるプラグコネクタがあると便利である。
【０００６】
そこで、本発明の目的は、略Ｌ字型のプラグコネクタにおいて、プラグコネクタのシェルに対するケーブルの引き出し方向（角度）を自由に調整できる技術を提供することにある。
【０００７】
本発明の前記並びにその他の目的と新規な特徴は、本明細書の記述及び添付図面から明らかになるであろう。
【課題を解決するための手段】
【０００８】
上記のような課題を解決するために、本願発明に係る電気コネクタは、複数の端子を内部に含み、複数の第１の規制部を外周に有するシェルと、ケーブルが挿通される空間を内部に有し、前記複数の第１の規制部の第１の群と嵌合する第２の規制部を有する第１のコード管と、ケーブルが挿通される空間を内部に有し、前記複数の第１の規制部の第２の群と嵌合する第３の規制部を有する第２のコード管と、を備え、前記複数の第１の規制部の第１の群と前記第２の規制部とが嵌合することにより、前記第１のコード管は前記シェルの軸方向以外の方向への移動が規制され、前記複数の第１の規制部の第２の群と前記第３の規制部とが嵌合することにより、前記第２のコード管は前記シェルの軸方向への移動が規制され、かつ前記第１のコード管は前記シェルの軸方向への移動が規制されるように構成されているものである。
【発明の効果】
【０００９】
本願において開示される発明のうち、代表的なものによって得られる効果を簡単に説明すれば、以下のとおりである。
（１）レセプタクルコネクタ及び取り付け対象物に対して、プラグコネクタのケーブル引き出し方向を自由に変更することが可能になる。
（２）コード管Ａ及びコード管Ｂの合体する構成により、プラグコネクタの低背化が図れる。
（３）コード管Ａ及びコード管Ｂの分離した構成により、ケーブルの接続作業の効率性が向上する。
【図面の簡単な説明】
【００１０】
【図１】本発明の一実施の形態によるプラグコネクタ（ケーブル付き）及びレセプタクルコネクタの構成を示す斜視図である。
【図２】図１に示すプラグコネクタ及びレセプタクルコネクタをそれぞれ嵌合方向から見た斜視図である。
【図３】図１に示すプラグコネクタの分解斜視図である（ケーブルは省略）。
【図４】図３に示すシェルの構成を示す図であり、（ａ）は平面図、（ｂ）は底面側から見た斜視図である。
【図５】図３に示すコード管Ａの構成を示す図であり、（ａ）は斜視図、（ｂ）は底面図である。
【図６】図３に示すコード管Ｂの構成を示す斜視図である。
【図７】図３に示すコード管Ａをシェルに嵌合させた状態を示す図であり、（ａ）は正面図、（ｂ）はＡ−Ａ切断面による断面図である。
【図８】図３に示すコード管Ｂを、コード管Ａ及びシェルに嵌合させた状態を示す図であり、（ａ）は正面図、（ｂ）はＢ−Ｂ切断面による断面図、（ｃ）はＣ−Ｃ線に沿って切断した（ａ）の断面図である。
【図９】本発明の一実施の形態によるプラグコネクタの配置角度が、レセプタクルコネクタ及びパネルに対して可変であることを示す説明図である。
【発明を実施するための形態】
【００１１】
以下、本発明の実施の形態を図面に基づいて詳細に説明する。なお、実施の形態を説明するための全図において、同一部材には原則として同一の符号を付し、その繰り返しの説明は省略する。また、以下の実施の形態において、要素の数等（個数、数値、量、範囲等を含む）に言及する場合、特に明示した場合および原理的に明らかに特定の数に限定される場合等を除き、その特定の数に限定されるものではなく、特定の数以上でも以下でもよい。
【００１２】
図１は、本発明の一実施の形態によるプラグコネクタ（ケーブル付き）及びレセプタクルコネクタの構成を示す斜視図である。図２は、図１に示すプラグコネクタ及びレセプタクルコネクタをそれぞれ嵌合方向から見た斜視図である。図３は、図１に示すプラグコネクタの分解斜視図である（ケーブルは省略）。
【００１３】
まず、図１〜図３により、本発明の一実施の形態によるプラグコネクタ１の構成を説明する。本実施の形態によるプラグコネクタ１は、レセプタクルコネクタ（相手側コネクタ）２との嵌合方向（軸方向Ｚ）に対して略垂直方向にケーブル３が引き出される電気コネクタであって、円筒状のシェル１０と、ケーブル３が挿通される空間を内部に有するコード管Ａ（第１のコード管）２０と、同じくケーブル３が挿通される空間を内部に有するコード管Ｂ（第２のコード管）３０と、シェル１０の内部に設けられた複数の端子４０と、シェル１０の外周に回転自由に取り付けられたスリーブ５０と、コード管Ｂ３０のケーブル引き出し口に取り付けられるケーブルの締め付けリング６０などを備えている。
【００１４】
また、プラグコネクタ１と嵌合されるレセプタクルコネクタ２は、円筒状のシェル４と、プラグコネクタ１の複数の端子４０とそれぞれ対応する位置に配置された複数の端子５などを備え、ナット６によって、パネルなどの取り付け対象物７に固定される。プラグコネクタ１とレセプタクルコネクタ２を連結するには、プラグコネクタ１のシェル１０の嵌合口側に設けられたスリット１１と、レセプタクルコネクタ２のシェル４の嵌合口側に設けられた突起状のリブ８とを位置合わせして、シェル１０とシェル４とを嵌合させて、プラグコネクタ１の複数の端子４０とレセプタクルコネクタ２の複数の端子５をそれぞれ対応させて接続する。そして、プラグコネクタ１とレセプタクルコネクタ２との連結が外れないように、スリーブ５０を回転させて固定する。
【００１５】
したがって、レセプタクルコネクタ２は、パネルなどの取り付け対象物７に対して所定の位置（角度）で取り付けられ、プラグコネクタ１のシェル１０は、レセプタクルコネクタ２に対して所定の角度（嵌合可能な角度）で嵌合することになる。すなわち、プラグシェル１０は、レセプタクルコネクタ２に対して、ある決まった位置でないと嵌合できない。
【００１６】
次に、図４により、シェル１０の構成を説明する。図４は、図３に示すシェル１０の構成を示す図であり、（ａ）は平面図、（ｂ）は底面側から見た斜視図である。図３及び図４に示すように、シェル１０は、円筒状の形状を有し、嵌合口側と反対側（ケーブル側）の外周に複数の規制部（第１の規制部）１２を備えている。複数の規制部１２は、図４では、８個の例が示されているが、これに限定されるものではなく、その個数は、複数であればいくつであってもよい。規制部１２が８個の場合、ケーブル３の引き出し方向が４５度単位で変更可能になる。また、複数の規制部１２は、凸形状を有し、シェル１０の外周において等間隔で配置され、それぞれの規制部１２は、同一形状・同一寸法を有する。また、規制部１２の形状は、図４では、円周に沿った略直方体で示されているが、この形状に限定されるものではなく、台形、他の矩形、三角形など他の形状であってもよい。また、規制部１２の形状は、凸形状の代わりに凹形状であってもよい（この場合は、後述するコード管Ａ２０及びコード管Ｂ３０の規制部は凸形状となる。）。
【００１７】
また、複数の規制部１２は、それぞれ、コード管Ａ２０の規制部（第２の規制部）２１の規制面２２、又はコード管Ｂ３０の規制部（第３の規制部）３１の規制面３２と接触して、コード管Ａ２０及びコード管Ｂ３０が周方向（Ｒ）に回転移動するのを防止する同方向の規制面（側面、第１の規制面）１３と、コード管Ｂ３０の規制部（第３の規制部）３１の規制面３３と接触してコード管Ｂ３０がシェル１０の軸方向に抜けるのを防止する規制面（底面、第２の規制面）１４とを備えている。
【００１８】
さらに、シェル１０は、嵌合口側に、レセプタクルコネクタ２の突起状のリブ８と嵌合するスリット１１を備えている。スリット１１とリブ８により、プラグコネクタ１とレセプタクルコネクタ２との間の端子の位置合わせが可能になる。
【００１９】
次に、図５により、コード管Ａ２０の構成を説明する。図５は、図３に示すコード管Ａ２０の構成を示す図であり、（ａ）は斜視図、（ｂ）は底面図である。図３及び図５に示すように、コード管Ａ２０は、ケーブル３が挿通される空間を内部に有し、シェル１０の複数の規制部１２の第１の群と嵌合する複数の凹形状の規制部（第２の規制部）２１を備えている。シェル１０の複数の規制部１２の第１の群と規制部２１とが嵌合することにより、コード管Ａ２０はシェル１０の軸方向（Ｚ）以外の方向への移動が規制される。
【００２０】
また、規制部２１は、コード管Ａ２０の内周において等間隔で配置され、それぞれの規制部２１は、同一形状・同一寸法を有する。また、規制部２１の形状は、図５では、内円周に沿った略直方体で示されているが、この形状に限定されるものではなく、台形、他の矩形、三角形など他の形状であってもよい。また、規制部２１の形状は、凹形状の代わりに凸形状であってもよい（この場合は、シェルの規制部１２は凹形状となる。）。
【００２１】
また、複数の規制部２１は、図５では、３個の例が示されているが、これに限定されるものではなく、その個数はいくつであってもよく、その個数や配置は、対応するシェル１０の規制部１２に対応して決まる。
【００２２】
また、複数の規制部２１は、それぞれ、シェル１０の規制面１３と接触してコード管Ａ２０が周方向（Ｒ）に回転移動するのを防止する規制面（側面）２２を備えている。
【００２３】
さらに、コード管Ａ２０は、コード管Ｂ３０の孔（図示せず）に嵌合するための２つの突起部２３、コード管Ｂ３０と固定するためのビス用の孔２４、コード管Ｂ３０とともに一体になって密閉性を確保するためのＯリングが嵌られるパッキング用溝２５、コード管Ｂ３０と合体するためにケーブル引出口側に突出した形状の突出部２６などを備えている。
【００２４】
次に、図６により、コード管Ｂ３０の構成を説明する。図６は、図３に示すコード管Ｂ３０の構成を示す斜視図である。図３及び図６に示すように、コード管Ｂ３０は、ケーブル３が挿通される空間を内部に有し、シェル１０の複数の規制部１２の第２の群と嵌合する複数の凹形状の規制部（第３の規制部）３１を備えている。シェル１０の複数の規制部１２の第２の群と規制部３１とが嵌合することにより、コード管Ｂ３０はシェル１０の軸方向（Ｚ）への移動が規制される。
【００２５】
また、規制部３１は、コード管Ｂ３０の内周において等間隔で配置される。また、規制部３１の形状は、図６では、内円周に沿った略直方体で示されているが、この形状に限定されるものではなく、台形、他の矩形、三角形など他の形状であってもよい。また、規制部３１の形状は、凹形状の代わりに凸形状であってもよい（この場合は、シェルの規制部１２は凹形状となる。）。
【００２６】
また、複数の規制部３１は、図６では、３個の例が示されているが、これに限定されるものではなく、その個数はいくつであってもよく、その個数や配置は、対応するシェル１０の規制部１２に対応して決まる。
【００２７】
また、複数の規制部３１は、それぞれ、シェル１０の規制面１３と接触してコード管Ｂ３０が周方向（Ｒ）に回転移動するのを防止する規制面（側面）３２と、シェル１０の規制面１４と接触して、コード管Ｂ３０がシェル１０の軸方向（Ｚ）に抜けるのを防止する規制面（底面）３３とを備えている。
【００２８】
さらに、コード管Ｂ３０は、コード管Ａ２０と固定するためのビス用の孔３４、ケーブルの締め付けリング６０が取り付けられるケーブル引き出し口３５、コード管Ａ２０と合体するためにコード管Ａ２０側で引っ込んだ形状の切欠き部３６などを備えている。
【００２９】
次に、図７〜９により、シェル１０と、コード管Ａ２０と、コード管Ｂ３０とを組み合わせる工程を説明する。図７は、図３に示すコード管Ａ２０をシェル１０に上側から嵌合させた状態を示す図であり、（ａ）は正面図、（ｂ）はＡ−Ａ切断面による断面図である。図８は、図３に示すコード管Ｂ３０を、コード管Ａ２０及びシェル１０に嵌合させた状態を示す図であり、（ａ）は正面図、（ｂ）はＢ−Ｂ切断面による断面図、（ｃ）はＣ−Ｃ線に沿って切断した（ａ）の断面図である。図９は、プラグコネクタ１の配置角度が、レセプタクルコネクタ２及び取り付け対象物７（パネル）に対して可変であることを示す説明図である。
【００３０】
図７に示すように、軸方向（Ｚ）上方からコード管Ａ２０をシェル１０に嵌める。この際、規制面１３と規制面２２が接触し、シェル１０の規制部１２（第１の群）とコード管Ａ２０の規制部２１とが嵌合する。そして、コード管Ａ２０は軸方向（Ｚ）以外への移動が規制される。また、シェル１０に対するコード管Ａ２０の周方向（Ｒ）の角度は、規制部１２及び規制部２１の組み合わせを変更することにより自由に設定でき、これにより、ケーブル３の引き出し方向が決まる。
【００３１】
次に、図８に示すように、軸方向（Ｚ）の略垂直方向からコード管Ｂ３０をコード管Ａ２０と合体させる。この際、規制面１３と規制面３２が接触し、かつ規制面１４と規制面３３が接触し、シェル１０の残りの規制部１２（第２の群）とコード管Ｂ３０の規制部３１とが嵌合する。そして、コード管Ｂ３０はケーブル引き出し方向以外への移動が規制される。また、規制面１４と規制面３３とが接触しているため、コード管Ｂ３０がシェル１０の軸方向（Ｚ）上方に抜けるのが防止される。また、コード管Ａ２０とコード管Ｂ３０は合体しているので、コード管Ａ２０も軸方向（Ｚ）上方に抜けるのが防止される。すなわち、規制部１２の第２の群と規制部３１とが嵌合することにより、コード管Ｂ３０はシェル１０の軸方向（Ｚ）への移動が規制され、かつコード管Ａ２０はシェル１０の軸方向（Ｚ）への移動が規制される。そして、コード管Ａ２０のビス用の孔２４と、コード管Ｂ３０のビス用の孔３４にビスを通して、コード管Ａ２０とコード管Ｂ３０とが抜けないように固定する。
【００３２】
実際の組み立て作業は、コード管Ａ２０、コード管Ｂ３０及びリング６０にケーブル３を通し、ケーブル３の芯線をそれぞれ、シェル１０の端子４０に半田付けしてから行う。これにより、ケーブル３は、コード管Ａ２０及びコード管Ｂ３０の内部で折り曲げられ、任意の方向にケーブルを引き出すことが可能になる。また、コード管Ａ２０とコード管Ｂ３０は、分離した構成であるので、ケーブルを折り曲げて通す必要がないので、ケーブルを通し易くなり、作業の効率性が上がる。また、プラグコネクタ１のシェル１０の嵌合口側の構成は、通常のプラグコネクタと同じであるので、今まで使用していたレセプタクルコネクタを変更せずにそのまま使用することが可能である。
【００３３】
図９は、プラグコネクタ１のケーブル引き出し方向（角度）の一例を示したものである。図９に示すように、取り付け対象物７及びレセプタクルコネクタ２に対して、プラグコネクタ１のケーブル引き出し方向を任意に変更することが可能である。例えば、シェル１０の規制部１２を８個設けた場合、４５度単位でケーブル引き出し方向を変えることができる。
【００３４】
したがって、本実施の形態の電気コネクタによれば、レセプタクルコネクタ及び取り付け対象物に対して、プラグコネクタのケーブル引き出し方向を自由に変更することが可能になる。また、コード管Ａ２０及びコード管Ｂ３０の合体する構成により、プラグコネクタの低背化が図れる。
【００３５】
以上、本発明者によってなされた発明をその実施の形態に基づき具体的に説明したが、本発明は前記実施の形態に限定されるものではなく、その要旨を逸脱しない範囲で種々変更可能であることはいうまでもない。
【符号の説明】
【００３６】
１  プラグコネクタ
２  レセプタクルコネクタ（相手側コネクタ）
３  ケーブル
４  シェル
５  端子
６  ナット
７  取り付け対象物
８  リブ
１０  シェル
１１  スリット
１２  規制部（第１の規制部）
１３  規制面（第１の規制面）
１４  規制面（第２の規制面）
２０  コード管Ａ（第１のコード管）
２１  規制部（第２の規制部）
２２  規制面
２３  突起部
２４  孔
２５  パッキング用溝
２６  突出部
３０  コード管Ｂ（第２のコード管）
３１  規制部（第３の規制部）
３２  規制面
３３  規制面
３４  孔
３５  ケーブル引き出し口
３６  切欠き部
４０  端子
５０  スリーブ
６０  締め付けリング
【図１】
2018018664.tif 000003
【図２】
2018018664.tif 000004
【図３】
2018018664.tif 000005
【図４】
2018018664.tif 000006
【図５】
2018018664.tif 000007
【図６】
2018018664.tif 000008
【図７】
2018018664.tif 000009
【図８】
2018018664.tif 000010
【図９】
2018018664.tif 000011